(57)【要約】【課題】換気手段の小型化、フードの薄型化等で生じた空間を収納スペースとして有効に利用し、レンジフードの保守を容易に行うことのできるキッチン用収納キャビネットを提供する。【解決手段】収納キャビネット１と排気ダクト５とを並べて配置してなるキッチン用収納キャビネットの構造であって、該排気ダクト５は換気手段６に連接して薄型フード部４から吸引された調理排ガスの排気路を構成し、上記薄型フード部４は加熱調理器８の上方に張り出すとともに、上記収納キャビネット１は薄型フード部４の上部に設置されてなるキッチン用収納キャビネットの構造Ａ。【選択図】図４
2008023155.tif 000002
【特許請求の範囲】
【請求項１】
収納キャビネットと排気ダクトとを並べて配置してなるキッチン用収納キャビネットの構造であって、該排気ダクトは換気手段に連接して薄型フード部から吸引された調理排ガスの排気路を構成し、上記薄型フード部は加熱調理器の上方に張り出すとともに、上記収納キャビネットは薄型フード部の上部に設置されてなるキッチン用収納キャビネットの構造。
【請求項２】
上記収納キャビネットは排気ダクトの左右両側に配置されるとともに、薄型フード部の上で壁面に固定された請求項１に記載のキッチン用収納キャビネットの構造。
【請求項３】
上記収納キャビネットが薄型フード部の上の格納位置と前方下方への引出し位置との間で昇降できるようにリンク機構で支持された昇降収納部の格納部である請求項１に記載のキッチン用収納キャビネットの構造。
【請求項４】
上記収納キャビネットは薄型フード部との間および換気手段との間に防振用の隙間を設けて固定された請求項１に記載のキッチン用収納キャビネットの構造。
【発明の詳細な説明】
【技術分野】
【０００１】
本発明は、収納キャビネットに関する。さらに詳しくは、キッチンに設けられ、薄型フードの上で排気ダクトと並設されるキッチン用収納キャビネットの構造に関する。
【背景技術】
【０００２】
通常、キッチンの加熱調理装置の上方には、調理の際に生じる煙、油煙、蒸気、臭い等、調理排ガスを加熱調理装置まわりの雰囲気と共に捕集して室外に排気するようにレンジフードが設けられている。このレンジフードは、通常、本願図６に示す説明図に記載のように、加熱調理装置を覆うように張り出すフード部４ａとこのフード部４ａの上から室外に延びるダクト５ａを有し、このフード部４ａの内部で壁面に固定された換気ファン６ａとからなる、いわゆるブーツ型といわれるレンジフードＤが多用されている。
【０００３】
上記ブーツ型レンジフードのフード部は壁面からの張り出しが大きい程、また、加熱調理装置に近いほど、換気効率は高くなる。一方、空間の有効利用という観点からは、加熱調理装置の上方に大きなデッドスペースが生じるため、好ましくないという問題がある。
【０００４】
そこで、近年、小型で換気性能の向上した換気ファンが多用化されるとともに、フード部自体を薄くスリム化し、ダクトの断面積も小さく、全体として小型化されたレンジフードが普及しつつある。下記特許文献１には、その第１図に示されているように、スリム化されたフード部の上方で、かつ、換気手段の前方に収納手段を設けた厨房装置が開示され、該厨房装置は換気手段の振動や音が収納手段に影響しないように、それぞれが個別に取り付けられ、相互間に防振スペースを設けた構造が開示されている。
【特許文献１】特開２００３−２５４５７５号公報（第１〜３頁、第１図、第３図）
【発明の開示】
【発明が解決しようとする課題】
【０００５】
しかしながら、上記特許文献１に記載の厨房装置においては、換気手段が収納手段の後側に位置するため、油汚れの掃除やフィルタの取り替え等、日常のメンテナンスを行うことが困難であるという問題がある。本発明はこのような問題を解決して、換気手段の小型化、フードの薄型化等で生じた空間を収納スペースとして有効に利用できるとともに、レンジフードの保守を容易に行うことのできるキッチン用収納キャビネットを提供することを、その課題とする。
【課題を解決するための手段】
【０００６】
上記課題を解決するために、本発明においては、つぎのような技術的手段を講じている。すなわち、請求項１に記載の発明によれば、収納キャビネットと排気ダクトとを並べて配置してなるキッチン用収納キャビネットの構造であって、該排気ダクトは換気手段に連接して薄型フード部から吸引された調理排ガスの排気路を構成し、上記薄型フード部は加熱調理器の上方に張り出すとともに、上記収納キャビネットは薄型フード部の上部に設置されてなるキッチン用収納キャビネットの構造が提供される。
【０００７】
請求項２に記載のキッチン用収納キャビネットの構造は、請求項１に記載の発明に加えて、上記収納キャビネットは排気ダクトの左右両側に配置されるとともに、薄型フード部の上で壁面に固定されてもよい。
【０００８】
請求項３に記載のキッチン用収納キャビネットの構造は、請求項１に記載の発明に加えて、上記収納キャビネットが薄型フード部の上の格納位置と前方下方への引出し位置との間で昇降できるようにリンク機構で支持された昇降収納部の格納部とされる。
【０００９】
請求項４に記載のキッチン用収納キャビネットの構造は、請求項１に記載の発明に加えて、上記収納キャビネットが薄型フード部との間および換気手段との間に防振用の隙間を設けて固定されることが好ましい。
【発明の効果】
【００１０】
請求項１に記載の発明にかかるキッチン用収納キャビネットの構造は上記のとおりであり、収納キャビネットと排気ダクトとを並べて配置され、換気手段に連接する排気ダクトは薄型フード部から吸引された調理排ガスの排気路を構成し、上記収納キャビネットは薄型フード部の上部に設置されているため、従来のいわゆるブーツ型のレンジフードの壁面からの張り出し部によってデッドスペースとされた空間を収納キャビネットの装着空間として有効に利用することができる。また、排気ダクト、換気手段、薄型フード部が正面に位置するため、日常の保守、点検を容易に行うことができる。
【００１１】
請求項２に記載のキッチン用収納キャビネットの構造は上記のとおりであり、請求項１のキッチン用収納キャビネットの構造の有する効果に加え、上記収納キャビネットは排気ダクトの左右両側に配置されるとともに、薄型フード部の上で壁面に固定されているため、従来デッドスペースとされていた空間を２ケの収納キャビネットの装着空間としてさらに有効に利用することができる。
【００１２】
請求項３に記載のキッチン用収納キャビネットの構造は上記のとおりであり、請求項１のキッチン用収納キャビネットの構造の有する効果に加え、上記収納キャビネットが薄型フード部の上の格納位置と前方下方への引出し位置との間で昇降できるようにリンク機構で支持された昇降収納部を有しているため、必要なときに、昇降収納部を引き下ろすことにより、収納物を容易に出し入れすることができる。また、通常、上記昇降収納部は格納部に格納されているため、見栄えよく調理用小物類等を収納することができる。
【００１３】
請求項４に記載のキッチン用収納キャビネットの構造は上記のとおりであり、請求項１のキッチン用収納キャビネットの構造の有する効果に加え、上記収納キャビネットは薄型フード部との間および換気手段との間に防振用の隙間を設けて固定されるため、換気手段や排気ダクトからの振動によって、収納された、例えば、皿、茶碗、ボウル等の収納物がカチャカチャ、ガタガタと音を立てたり、振動することを防止する。
【発明を実施するための最良の形態】
【００１４】
以下、本発明の実施形態について図面を参照して詳細に説明する。図１は、本発明の第１実施形態にかかるキッチン用収納キャビネットの構造Ａを示す部分断面正面図であり、図２は、その部分断面側面図である。図１に示すように、上記キッチン用収納キャビネットの構造Ａは、収納キャビネット１が薄型フード部４の上で排気ダクト５と並べて配置されてなり、かつ、収納キャビネット１は薄型フード部４との間に防振用の隙間Ｓ１を設けて壁面Ｗ１にビス等の固定手段Ｆによって固定される。
【００１５】
図１、図２に示されているように、上記排気ダクト５は、ファン等の換気手段６に連接し、上記薄型フード部４の吸気口４１から換気手段６によって連通孔４２を経て吸引された調理排ガスの排気路を構成する。また、収納キャビネット１とファン等の換気手段６との間にも防振用の隙間Ｓ２が設けられている。また、図２に示すように、上記排気ダクト５の先端は壁面Ｗ２を貫通し、突出して排気口５１を構成し、調理排ガスは排気口５１から屋外に排出される。
【００１６】
一方、上記薄型フード部４は、調理キャビネット７に設置された加熱調理器８の上方に張り出して設けられ、ガスコンロ、電気加熱調理器、電磁加熱調理器等を用いて調理する際に生じる煙、油煙、蒸気、臭い等、調理排ガスを加熱調理装置まわりの雰囲気と共に吸引する吸気口４１を備えている。上記のように構成することにより、従来レンジフード回りでデッドスペースとして顧みられることのなかった空間を薄型フード部４を用いることにより、収納キャビネット１の装着空間として有効に利用することができる。
【００１７】
図３は、本発明の第２実施形態にかかるキッチン用収納キャビネットの構造Ｂを示す部分断面正面図である。図３に示すように、本実施形態においては、左収納キャビネット２１と右収納キャビネット２２とは薄型フード部４の上で排気ダクト５の左右両側に並設され、右収納キャビネット２２は後側の壁面に固定されている。このようにすることにより、薄型フード部４の上方の空間を２ケの収納キャビネットを装着する装着空間としてさらに有効に利用することができる。
【００１８】
図４は、上記第２実施形態の変形例にかかるキッチン用収納キャビネットの構造Ｃを示す部分断面正面図であり、昇降収納部９が前方下方へ引出された状態を示す。すなわち、左収納キャビネット２１は排気ダクト５の左側に併設されるとともに、右側の収納キャビネットは前方下方へ引出し自在とされた昇降収納部９を格納する格納部３とされている。上記昇降収納部９は、複数のアームが回転軸でリンクされたリンク機構Ｒにより、上記格納部３の格納位置と前方下方への引出し位置との間で昇降自在とされているため、必要なときに、昇降収納部９の把手９１を持って引き下ろすことにより、収納物を容易に出し入れすることができる。
【００１９】
図５は上記昇降収納部９を格納部３へ格納した状態を示す部分断面正面図である。図５に示されているように、昇降収納部９の格納状態においては、見栄えよく上記格納部３に格納され、皿、茶碗、ボウル等の小物類を使い勝手よく上記昇降収納部３１に収納することができる。図５に示す形態においては、右側の収納キャビネットを昇降収納部９を格納する格納部３としたが、左収納キャビネット２１を前方下方へ引出し自在とされた昇降収納部の格納部としてもよい。あるいは、左右の収納キャビネットを昇降収納部を格納する格納部としてもよい。このように、本発明は種々設計変更可能であり、特許請求の範囲を逸脱しない限り本発明の技術的範囲に含まれる。
【図面の簡単な説明】
【００２０】
【図１】本発明の第１実施形態にかかるキッチン用収納キャビネットの構造を示す部分断面正面図である。
【図２】本発明の第１実施形態にかかるキッチン用収納キャビネットの構造を示す部分断面側面図である。
【図３】本発明の第２実施形態にかかるキッチン用収納キャビネットの構造を示す部分断面正面図である。
【図４】上記第２実施形態の変形例にかかるキッチン用収納キャビネットの構造において昇降収納部が前方下方へ引出された状態を示す部分断面正面図である。
【図５】上記第２実施形態の変形例にかかるキッチン用収納キャビネットの構造において昇降収納部が格納部へ格納された状態を示す部分断面正面図である。
【図６】公知のレンジフードを示す説明図である。
【符号の説明】
【００２１】
Ａ          第１実施形態にかかるキッチン用収納キャビネットの構造
Ｂ          第２実施形態にかかるキッチン用収納キャビネットの構造
Ｃ          第２実施形態の変形例にかかるキッチン用収納キャビネットの構造
Ｄ          公知のレンジフード
Ｆ          固定手段
Ｒ          リンク機構
Ｓ１        防振用の隙間
Ｓ２        防振用の隙間
Ｗ１        壁面
Ｗ２        壁面
１          第１実施形態における収納キャビネット
２１        第２実施形態における左収納キャビネット
２２        第２実施形態における右収納キャビネット
３          第２実施形態の変形例における格納部
４          薄型フード部
４１        吸気口
４２        連通孔
５          排気ダクト
５１        排気口
６          排気手段
７          調理キャビネット
８          加熱調理器
９          昇降収納部
９１        把手
４ａ        公知技術におけるフード部
５ａ        公知技術におけるダクト
６ａ        換気ファン
【図１】
2008023155.tif 000003
【図２】
2008023155.tif 000004
【図３】
2008023155.tif 000005
【図４】
2008023155.tif 000006
【図５】
2008023155.tif 000007
【図６】
2008023155.tif 000008